(57)【要約】      （修正有）【課題】面光源装置の輝度を上昇させることが可能であり、生産時の不良発生の少ない光制御シートを提供する。【解決手段】光透過性基材の光射出面に凸条状のレンズが多数並列に配列されてなる。凸条状のレンズは、レンズの一方の周縁部から順番に、第１乃至第７の面より構成され、第１の面３１、第３の面３３、第５の面３５、第７の面３７は曲面からなり、第２の面３２、第６の面３６は平面からなり、第４の面３４は、曲面、若しくは平面からなる。光制御シートの光入射面側には、凸条状のレンズに対して光入射面に垂直な方向に平行光を入射させた時の、集光領域に光透過部を、それ以外の領域に光反射部を形成する。【選択図】図５
2010204608.tif 000002
【特許請求の範囲】
【請求項１】
直下型の面光源装置において、光源射出光を透過し射出する方向を制御する光制御シートであって、
光透過性を有する基材と、前記基材の前記光源射出光が入射する光入射面と逆側の光射出面上に並列して設けられた複数の凸条状のレンズからなり、
前記基材の前記光入射面のうち、前記光入射面に対して垂直な方向で前記凸条状のレンズ側から平行光を照射した場合の集光領域に光透過部が設けられ、非集光領域に光反射部が設けられ、
前記凸条状のレンズの表面は、レンズの一方の周縁部から他方の周縁部へ向かって順番に、第１の面〜第７の面により構成され、
第１の面、第３の面、第５の面、第７の面は曲面からなり、
第２の面、第６の面は平面からなり、
第４の面は、曲面、若しくは平面からなる
ことを特徴とする光制御シート。
【請求項２】
前記光入射面に対して垂直な方向で前記凸条状のレンズ側から平行光を照射した場合に、前記第１の面及び第７の面に照射される光が前記基材の光反射部と前記光透過部の境界線近傍に集光されるように、前記第１の面及び第７の面の曲率を設定したことを特徴とする請求項１に記載の光制御シート。
【請求項３】
前記光入射面に対して垂直な方向をｚ軸とし、前記凸条状のレンズの延在する方向をｙ軸とし、y軸及びz軸に垂直な方向をｘ軸とし、前記凸条状のレンズをｘ−ｚ面において切断したとき、
第１の面または第７の面が形成する輪郭の少なくとも一つは、式（１）で規定される数式であらわされる曲線の一部であることを特徴とする、請求項２に記載の光制御シート。
【数１】
2010204608.tif 000005
【請求項４】
第３の面、及び第５の面が、円筒の一部からなることを特徴とする、請求項１〜３に記載の光制御シート。
【請求項５】
第４の面が平面であることを特徴とする、請求項１〜４に記載の光制御シート。
【請求項６】
請求項１〜５に記載の光制御シートの前記光入射面側に、光拡散部材が粘着層、又は接着層により固定されていることを特徴とする光制御シート。
【請求項７】
光反射板と、前記光反射板上に２次元的に配列された光源と、請求項１〜６に記載の光制御シートと、少なくとも一種類以上の光学シートを備えることを特徴とするバックライトユニット。
【請求項８】
画素単位で光を透過／遮光して画像を表示する画像表示素子と、請求項７に記載のバックライトユニットと、を備えることを特徴とするディスプレイ装置。
【発明の詳細な説明】
【技術分野】
【０００１】
本発明は、主に液晶表示素子を用いたディスプレイ用バックライトユニットにおいて照明光路制御に使用される光制御シートの改良に関するものであり、更には、この光制御シートを搭載したバックライトユニットおよびディスプレイに関するものである。
【背景技術】
【０００２】
液晶表示装置（ＬＣＤ）に代表されるディスプレイは、提供される情報を認識するのに必要な光源を内蔵しているタイプの普及が著しい。ラップトップコンピュータのような電池式装置において、光源で消費する電力は、電池式装置全体で消費する電力の相当部分を占める。
【０００３】
従って、所定の輝度を提供するのに必要な総電力を低減することで電池寿命が増大する。これは電池式装置には特に望ましいことである。
【０００４】
米国３ Ｍ 社の登録商標である輝度強調フィルム（ＢＥＦ）が、この問題を解決する光学シートとして広く使用されている。
【０００５】
ＢＥＦ は、図１に示すように、基材１上に、断面三角形状の単位プリズム２が一方向に周期的に配列されたフィルムである。
【０００６】
この単位プリズム２は光の波長に比較して大きいサイズ（ピッチ）である。
【０００７】
ＢＥＦは、“ 軸外（ｏｆｆ−ａｘｉｓ）”からの光を集光し、この光を視聴者に向けて“ 軸上（ｏｎ−ａｘｉｓ）”に方向転換（ｒｅｄｉｒｅｃｔ）又は“リサイクル（ｒｅｃｙｃｌｅ）”する。
【０００８】
ディスプレイの使用時（観察時）に、ＢＥＦは、軸外輝度を低下させることによって軸上輝度を増大させる。ここで言う「軸上」とは、視聴者の視覚方向に一致する方向であり、一般的にはディスプレイ画面に対する法線方向（ 図１中に示す方向Ｆ）側である。
【０００９】
単位プリズム２の反復的アレイ構造が一方向のみの並列では、その並列方向での方向転換又はリサイクルのみが可能であり、水平および垂直方向での表示光の輝度制御を行なうために、プリズム群の並列方向が互いに略直交するように、２枚のシートを重ねて組み合わせて用いられる。
【００１０】
このようなＢＥＦの採用により、ディスプレイ設計者が電力消費を低減しながら所望の軸上輝度を達成できるようになった。
【００１１】
ＢＥＦに代表される単位プリズム２の反復的アレイ構造を有する輝度制御部材をディスプレイに採用する技術が開示されている特許文献としては、以下の先行技術文献に示されるように多数知られている。
【先行技術文献】
【特許文献】
【００１２】
【特許文献１】特公平１−３７８０１号公報
【特許文献２】特開平６−１０２５０６号公報
【特許文献３】特表平１０−５０６５００号公報
【発明の概要】
【発明が解決しようとする課題】
【００１３】
上記のようなＢＥＦを輝度制御部材として用いた光学シートでは、図２に示すように、屈折作用Ｘ によって、光源３からの光Ｐが、最終的には、制御された角度φで射出されることによって、視聴者の視覚方向Ｆの光の強度を高めるように制御することができる。しかしながら、同時に、反射／ 屈折作用Ｙによる光成分が、視聴者の視覚方向Ｆに進むことなく横方向に無駄に射出されてしまう。したがって、図１ に示すようなＢＥＦを用いた光学シートから射出される光強度分布は、図３の光強度分布に示すように、視聴者の視覚方向Ｆ、すなわち視覚方向Ｆに対する角度が０ °における光強度が最も高められるものの、図中横軸に示す±９０ °近辺の小さな光強度ピークとして示されるように、横方向から無駄に射出される光も増えてしまうという問題がある。
【００１４】
本発明の目的は、光源からの光を無駄に射出される分を増やすことなく、均一化して、かつ拡散範囲を制御して射出させることで、従来と比べて輝度の高い光制御シートを提供することであり、なおかつ、生産時の製造不良の発生が少なく量産に適した光制御シートを提供することである。
【課題を解決するための手段】
【００１５】
上記の目的を達成するために、本発明では、以下のような手段を講じる。
【００１６】
すなわち、請求項１の発明は、直下型の面光源装置において、光源射出光を透過し射出する方向を制御する光制御シートであって、光透過性を有する基材と、前記基材の前記光源射出光が入射する光入射面と逆側の光射出面上に並列して設けられた複数の凸条状のレンズからなり、前記基材の前記光入射面のうち、前記光入射面に対して垂直な方向で前記凸条状のレンズ側から平行光を照射した場合の集光領域に光透過部が設けられ、非集光領域に光反射部が設けられ、前記凸条状のレンズの表面は、レンズの一方の周縁部から他方の周縁部へ向かって順番に、第１の面〜第７の面により構成され、第１の面、第３の面、第５の面、第７の面は曲面からなり、第２の面、第６の面は平面からなり、第４の面は、曲面、若しくは平面からなることを特徴とする光制御シートである。
【００１７】
請求項２に記載の発明は、前記光入射面に対して垂直な方向で前記凸条状のレンズ側から平行光を照射した場合に、前記第１の面及び第７の面に照射される光が前記基材の光反射部と前記光透過部の境界線近傍に集光されるように、前記第１の面及び第７の面の曲率を設定したことを特徴とする請求項１に記載の光制御シートである。
【００１８】
請求項３に記載の発明は、前記光入射面に対して垂直な方向をｚ軸とし、前記凸条状のレンズの延在する方向をｙ軸とし、y軸及びz軸に垂直な方向をｘ軸とし、前記凸条状のレンズをｘ−ｚ面において切断したとき、第１の面または第７の面が形成する輪郭の少なくとも一つは、式（１）であらわされる曲線の一部であることを特徴とする、請求項２に記載の光制御シートである。
【００１９】
【数１】
2010204608.tif 000003
【００２０】
請求項４に記載の発明は、第３の面、及び第５の面が、円筒の一部からなることを特徴とする、請求項１〜３に記載の光制御シートである。
【００２１】
請求項５に記載の発明は、第４の面が平面であることを特徴とする、請求項１〜４に記載の光制御シートである。
【００２２】
請求項６に記載の発明は、請求項１〜５に記載の光制御シートの前記光入射面側に、光拡散部材が粘着層、又は接着層により固定されていることを特徴とする光制御シートである。
【００２３】
請求項７に記載の発明は、光反射板と、前記光反射板上に２次元的に配列された光源と、請求項１〜６に記載の光制御シートと、少なくとも一種類以上の光学シートを備えることを特徴とするバックライトユニットである。
【００２４】
請求項８に記載の発明は、画素単位で光を透過／遮光して画像を表示する画像表示素子と、請求項７に記載のバックライトユニットと、を備えることを特徴とするディスプレイ装置である。
【発明の効果】
【００２５】
上記構成によれば、光源からの光を制御して射出することで、面光源装置の輝度を上昇させることが可能になり、なおかつ生産時の不良発生の少ない光制御シートを提供することができる。
【図面の簡単な説明】
【００２６】
【図１】ＢＥＦの構成例を示す概略図。
【図２】ＢＥＦの光学作用を説明するための図。
【図３】ＢＥＦの配光分布の図（垂直方向）。
【図４】光制御シート、バックライトユニット、ディスプレイ装置の構成を表す断面図。
【図５】凸条状のレンズの断面図。
【図６】光制御シートの断面図。
【図７】凸条状のレンズに平行光を入射した時の光線の進行方向を表す図。
【図８】（ａ）実施例における凸条状のレンズに平行光を照射した時の光線追跡の結果、（ｂ）比較例における楕円レンズに平行光を照射した時の光線追跡の結果。
【発明を実施するための形態】
【００２７】
以下に、本発明を実施するための最良の形態について、図面を参照しながら説明する。
【００２８】
図４は、本発明の光制御シート１３、バックライトユニット２１、ディスプレイ装置２２の一例を示す断面模式図である。以下、「シート」と表記するものについては、必ずしもシート状の部材に限定するものではなく、板状の部材も含むものとする。
【００２９】
本発明の実施形態であるディスプレイ装置２２は、画像表示素子１５とバックライトユニット２１から構成される。また、本発明の実施形態であるバックライトユニット２１は、反射板１０と、反射板１０上に２次元的に配列された複数の光源１１と、さらにその上（観察者Ｆ側）に配置された光拡散部材１２、本発明の実施形態である光制御シート１３、一種類以上の光学シート１４により構成される。光源から射出された光は、光拡散部材１２により拡散された後、光制御シート１３、及び光学シート１４により集光、拡散、反射され、バックライトユニット２１から射出された光が画像表示素子１５へ入射し、観察者側Ｆへ射出される。
【００３０】
光源１１は、画像表示素子１５へと光を供給するものである。そこで光源１１としては、たとえば、ＣＣＦＬやＬＥＤなどを用いることができる。反射板１０は、複数の光源１１の観察者側Ｆと反対側に配置され、光源１１から射出された光のうち、複数の光源１１の観察者側Ｆに配置された複数の光学部材により反射された光を反射させて観察者側Ｆに射出させることができる。このように反射板１０を用いることによって、光の利用効率を高めることができる。反射板１０としては、光を高効率で反射させる部材であればよく、たとえば、一般的な反射フィルム、反射板などを使用することができる。
【００３１】
本発明の実施形態である光制御シート１３は、光源射出光が入射、透過、射出するシートであり、例えばＰＥＴ樹脂やＰＣ樹脂からなる光透過性基材４２の光射出面４５に凸条状のレンズ４３が多数並列に配列されてなる。凸条状のレンズ４３は、図５に示すように、レンズの一方の周縁部から他方の周縁部に向かって順番に、第１の面３１、第２の面３２、第３の面３３、第４の面３４、第５の面３５、第６の面３６、第７の面３７により構成され、第１の面３１、第３の面３３、第５の面３５、第７の面３７は曲面からなり、第２の面３２、第６の面３６は平面からなり、第４の面３４は、曲面、若しくは平面からなることを特徴とする。
【００３２】
図６に示すように、光制御シート１３の光源射出光が入射する光入射面４４側には、凸条状のレンズ４３による非集光面を含む領域に光反射部４１を、光反射部以外の領域に光透過部４０を備える。つまり、凸条状のレンズ４３に対して、シート面に垂直な方向に平行光を入射させた時の、集光領域に光透過部４０を、それ以外の領域に光反射部４１を形成する。
【００３３】
光制御シートの光入射面４４側に、上記のような光反射部４１と光透過部４０を形成することで、凸条状のレンズ４３の集光可能な領域に効率的に光を入射させることができるようになるため、光反射部４１を設けない場合と比べて正面輝度を高めることが可能になる。
【００３４】
光制御シート１３の光入射面４４側には、光源１１からの光を、入射面側から導きいれ、射出面側に散乱する光拡散部材１２を備えている。光拡散部材１２としては、当該技術分野で良く知られているように、透光性樹脂中に屈折率の異なる樹脂ビーズや微粒子（フィラー）を含んだ構成のものや、何れか一方の表面をマット状に処理した構成のものが用いられる。光拡散部材１２の射出面と、光制御シートの入射面４４は、接着層又は粘着層を介して固定することも可能である。この場合、光制御シートの光透過部４０と、光拡散部材１２層の間には、例えば空気層からなる開口部が規則的に設けられる。
【００３５】
このような規則的に配置された複数の開口部によって部分的に貫通されてなる、光反射部を構成する光反射層は、当該技術分野では良く知られている印刷法、転写法、又はフォトリソグラフィー法等を用いて形成する。又は、金属フィラーを分散混合してなるインキ層の塗布形成、転写形成、又は金属箔のラミネート形成等によって形成する。
【００３６】
又は、フォトリソグラフィー法の一方式として、レンズ自身の集光特性を利用して開口部の形成箇所を規定する所謂「セルフアライメント手法」も採用される。
セルフアライメント手法により開口部を規定するにあたっては、各単位レンズ４３に対応する開口部が、単位レンズ４３の頂部から基材４２に光射出面４５に引いた垂線を含むようにするため、光制御シート１３には単位レンズ４３側から全面に平行光を照射することが要求される。この場合、光制御シート１３の光入射面４４側に塗布、若しくはラミネート形成された感光性樹脂層を、レンズ４３側から光を照射することで、硬化部分と未硬化部分をストライプ状に形成することができる。その後、反射層の転写をラミネート形成することで、ストライプ状の反射層を形成することが可能になる。
【００３７】
感光性樹脂層に平行光を照射する際、レンズの集光作用により、集光する部分と集光されない部分が発生する。レンズの集光作用が強い場合、集光される部分と、集光されない部分の光強度比のコントラストが高くなるため、反射層の転写時におけるストライプ形成の精度が向上するというメリットが生じる。逆に、レンズの集光作用が弱い場合、集光部分と非集光部分の光強度比のコントラストが低下するため、反射層の転写時にストライプ形成がうまくいかず、転写不良の発生要因となる。
【００３８】
本発明の光制御シート１３は、曲面と平面の組み合わせからなるレンズを形成するため、平行光を入射したときに、感光性樹脂層において集光部分と非集光部分の光強度に明瞭なコントラストを有し、反射層の転写時の転写不良の発生を低減することが可能になる。
【００３９】
図７（ａ）、（ｂ）、（ｃ）は、本発明の光制御シートのレンズ面側から平行光で露光した場合の光線の進行方向を表わしたものである。第１の面３１及び第７の面３７に入射した平行光Ｌ１は、曲面で集光され、光制御シートの基材４２近傍の点Ｆ１、Ｆ２において焦点を結ぶ（図７（ａ））。
基材４２の光入射面４４には感光性樹脂層４６が設けられており、感光性樹脂４６の点Ｆ１、Ｆ２近傍は集中的に光が照射されることで、感光性樹脂層４６の硬化が強く促進される。一方、点Ｆ１、Ｆ２よりも外側（レンズの周縁方向）は、光がほとんど当たらないため、樹脂は未硬化のままである。
ここで、光射出面４５に対して垂直な方向をｚ軸とし、凸条状のレンズ４３の延在する方向をｙ軸とし、y軸、z軸に垂直な方向をｘ軸とし、凸条状のレンズ４３をｘ−ｚ面において切断したとき、第１の面または第７の面が形成する輪郭は、式（１）であらわされる曲線の一部とする。
【００４０】
【数２】
2010204608.tif 000004
【００４１】
このような曲線とした場合、式（１）の各係数を調整することで、感光性樹脂層表面への集光点を精密に調整することが可能になる。例えば、基材４２の厚みを変更した場合、第１の面、第７の面の集光点と感光性樹脂層の位置がずれてしまうが、係数Ｒｎ、ｋｎ、Ａｎ、Ｂｎ、Ｃｎ、Ｄｎを調整することで、第１の面、及び第７の面による集光点を感光性樹脂層表面に簡単にあわせ込むことが可能になる。仮に、第１の面３１及び第７の面３７を円筒面、若しくは楕円筒面の一部とした場合、つまり、Ａｎ、Ｂｎ、Ｃｎ、Ｄｎが全てゼロの場合、集光点の微調整が難しくなるため、集光点と感光性樹脂層の位置ズレが発生する可能性がある。
【００４２】
第２の面３２と第６の面３６に入射した平行光Ｌ２は、レンズ面で屈折した後もそのまま平行を維持したまま進行し、点Ｆ１とＦ２に挟まれる領域Aに照射される（図７（ｂ））。Aに照射される光は平行光であるので、光線Ｌ２は領域A内部を均一に照射する。
【００４３】
図７（ｃ）は、第４の面３４が平面である場合の光線の進行方向を表わしたものである。第四の面３４に入射した光Ｌ３は、レンズ面で屈折することなく、そのまま領域Aに照射される。Aに照射される光は平行光であるので、光線Ｌ３は領域A内部を均一に照射する。第４の面３４は、必ずしも平面でなくても良いが、曲面とする場合にはなるべく曲率半径の大きな曲面とするのが望ましい。曲率半径の小さな曲面とした場合、曲面で集光されるため、領域Aに照射される光強度が不均一になってしまうためである。光強度の不均一性が強い場合、反射層４１の転写時に転写ムラが発生する可能性が高まるため、望ましくない。
【００４４】
第３の面３３、第５の面３５は、曲面とすることで、レンズの傷付きによる不良発生を抑えることが可能になる。
【００４５】
以上で説明したように光制御シート１３のレンズ形状を設計することで、感光性樹脂層４４の光強度は、
（１）点Ｆ１、Ｆ２の外側の殆ど光が照射されない領域
（２）光強度が最大となる点Ｆ１、Ｆ２
（３）光強度が均一となる領域Ａ
の３領域で区分されるような分布形状となる。
この場合、領域Ａの外側と領域Ａの内側の間では、光強度に明確な差が発生するため、感光性樹脂層４４の硬化部分と未硬化部分の境界が明瞭となり、反射層の転写性を大幅に改善することが可能になる。
【００４６】
このような光制御シート１３の凸条状のレンズ４３は、例えばＰＥＴ（ポリエチレンテレフタレート）、ＰＣ（ポリカーボネイト）、ＰＭＭＡ（ポリメチルメタクリレート）、ＣＯＰ（シクロオレフィンポリマー）等を用いて、当該技術分野では良く知られている熱可塑性樹脂を用いたプレス成型又は押し出し成型によって成型されたモノシリックな成型体である。又はＰＥＴ（ポリエチレンテレフタレート）、ＰＰ（ポリプロピレン）、ＰＣ（ポリカーボネイト）、ＰＭＭＡ（ポリメチルメタクリレート）、ＰＥ（ポリエチレン）等を基材として、その上に紫外線硬化樹脂を配置する紫外線キュアリング成型法によって成型しても良い。
【００４７】
図４に示すように、本発明の実施形態であるバックライトユニット２１は、直下型バックライトユニットであり、光源１１、光反射板１０、光拡散部材１２、本発明の実施形態である光制御シート１３と、その光射出面側に１枚以上の光学シート１４を搭載することで構成される。光学シート１４としては、光拡散性を有する拡散シートや、反射型偏光分離シートなどを搭載しても良い。
【００４８】
図４に示すように、本発明の実施形態であるディスプレイ装置２２は、画像表示素子１５とバックライトユニット２１とから構成される。画像表示素子１５は、２枚の偏光板（偏光フィルム）１６と、その間に挟持された液晶パネル１７とからなる。液晶パネル１７は、例えば、２枚のガラス基板の間に液晶層が充填されて構成される。
【００４９】
画像表示素子１５は、画素単位で光を透過/遮光して画像を表示する素子であることが望ましい。画素単位で光を透過/遮光して画像を表示するものであれば、バックライトユニット２１により光源のムラの低減された光を有効に利用して、画像品位の高い画像を表示させることができる。画像表示素子１５は、液晶表示素子であることが好ましい。液晶表示素子は、画素単位で光を透過/遮光して画像を表示する代表的な素子であり、他の表示素子と比べて、画像品位を高くすることができるとともに、製造コストを低減することができる。
【００５０】
以下、上記実施の形態に係る光制御シート１３の各種具体例を述べる。
【実施例】
【００５１】
（実施例１）
ＰＥＴフィルム（７５μｍ厚）の一方の面上に、高さ９０μｍ、配列ピッチ１８０μｍ、屈折率１．５０のレンズ群を形成する。ＰＥＴフィルムのレンズ面側とは逆側の面上には、厚さ２０μｍ、屈折率１．４９の感光性樹脂層４４を形成する。さらに、光反射層４１として、白インキ（１０μｍ厚）を転写法により形成する。
凸条状のレンズ４３の第１の面３１及び第７の面３７は、式（１）で表わされる非球面形状の一部により構成される。凸条状のレンズの第２の面３２及び第６の面３６は、レンズの周縁部から４０μｍの点で第１の面３１及び第７の面３７と滑らかに接続されるような平面とする。凸条状のレンズ４３の第３の面３３及び第５の面３５は、曲率半径が４０μｍの円周の一部とする。凸条状のレンズ４３の第４の面３４は、平面とする。
【００５２】
以上のような設計を行った光制御シート１３対して、凸条状のレンズ４３側から平行光を照射した場合の光線追跡シミュレーションの結果を図８（ａ）に示した。第１の面３１及び第７の面３７で集光された光が、感光性樹脂層４４において焦点を結ぶことが確認できる。
【００５３】
また、本発明における光制御シート１３の反射層４１の拡大写真により、反射層４１の転写性が良好であることが確認できた。
【００５４】
（比較例１）
光制御シート１３の凸条状のレンズ４３に断面が楕円状のレンズ（高さ７５μｍ、ピッチ１８０μｍ）を採用した場合の光線追跡の結果を表わす。この場合、凸条状のレンズ４３により集光された光は、感光性樹脂層４４内部で明確な焦点を結ばないため、転写した反射層４１の転写性が悪化していることが拡大写真によっても確認された。
【００５５】
（実施例２）
拡散板（全光線透過率５５％）＋光制御シート＋ＤＢＥＦ
の構成でＣＣＦＬ液晶ＴＶに組み込み、トプコン製色彩輝度計ＢＭ７を用いて正面輝度を測定したところ、従来構成（拡散板＋拡散シート＋プリズムシート＋ＤＢＥＦ）と比べて、約５％輝度が上昇した。
【００５６】
以上の実施例、および比較例の結果から、光制御シート１３を使用することで、従来の輝度向上フィルムと比べて高い輝度が得られ、なおかつ、凸条状のレンズ４３の効果により、反射層４１を綺麗に転写することが可能になり、光制御シート１３の生産時の不良発生を低減することができることを確認した。
【符号の説明】
【００５７】
１：基材  ２：プリズム  ３：光源  １０：反射板  １１：光源  １２：光拡散部材  １３：光制御シート  １４：光学シート  １５：画像表示素子  １６：偏光板  １７：液晶パネル  ２０：光源装置  ２１：バックライトユニット  ２２：ディスプレイ装置  ３１：第１の面  ３２：第２の面  ３３：第３の面  ３４：第４の面  ３５：第５の面  ３６：第６の面  ３７：第７の面  ４０：光透過部  ４１：光反射層  ４２：基材  ４３：凸条上のレンズ  ４４：基材の光入射面  ４５：基材の光射出面  ４６：感光性樹脂層  Ｆ：視覚方向  Ｘ、Ｙ、Ｐ、Ｌ１、Ｌ２、Ｌ３：光線。
【図１】
2010204608.tif 000006
【図２】
2010204608.tif 000007
【図３】
2010204608.tif 000008
【図４】
2010204608.tif 000009
【図５】
2010204608.tif 000010
【図６】
2010204608.tif 000011
【図７】
2010204608.tif 000012
【図８】
2010204608.tif 000013